(57)【要約】バイオフィードバック診断システムは、中央処理及び遠隔測定装置（１０）及びトリガーセンサー（４０）を含む。この際、中央処理装置は、一連の刺激を生じ、この刺激を双方周辺装置を介してシステムの患者（３０）及び作業者（２０）双方に同時に送るための状況発生ブロックを含む。トリガーセンサー（４０）は、送られた刺激に対する患者のフィードバックを遠隔で獲得して、中央装置（１０）にデジタルシグナルを戻すように設計される。以下の２つのバイオフィードバックループが形成される：中央装置（１０）、患者（３０）、及びトリガーセンサー（４０）の間で；ならびに中央装置（１０）、患者（３０）、及び作業者（２０）の間で。この際、作業者は患者の意識反応にかかわりのな試験結果を解釈している。
2005505332.tif 000002
【特許請求の範囲】
【請求項１】
中央処理及び遠隔測定装置を有するバイオフィードバック診断システムであって、該装置は一連の所定の刺激を生じるための状況発生ブロックを含み、該装置は該刺激に対する患者の応答を表わすシグナルを蓄積する手段を含み、該蓄積する手段は該シグナルに対する特定の相対的な重みを割り当てるための選定ブロックを有し、
該装置は刺激を作業者及び患者双方に同時に送るための双方周辺手段(dual peripheral means)をも含み、該システムは患者の脳波を遠隔で検出するためのノイズ発生器を有する非侵襲性のトリガーセンサーをも含み、
これにより該システムは、中央処理及び遠隔測定装置、患者、及びトリガーセンサー間の第一のバイオフィードバックループ；ならびに中央処理及び遠隔測定装置、患者、及び作業者間の第二のバイオフィードバックループを形成することができることを特徴とするバイオフィードバック診断システム。
【請求項２】
該刺激は、磁気、電磁、聴覚、及び視覚による刺激からなる群より選択される、請求項１に記載のバイオフィードバック診断システム。
【請求項３】
該トリガーセンサーは、患者の脳波の検出を促進するための対数周期アンテナを備えた検出器チャンネルをさらに含む、請求項１に記載のバイオフィードバック診断システム。
【請求項４】
該対数周期アンテナは、約１．４５Ｇｈｚの短波受信のための複同調テーパー螺旋形アンテナ(multi-turn tapered spiral antenna)である、請求項３に記載のバイオフィードバック診断システム。
【請求項５】
刺激に対する応答を生じる際に患者を補助する直覚促進手段をさらに有する、請求項１に記載のバイオフィードバック診断システム。
【請求項６】
該直覚促進手段は光電子放射性元素及びこれに向けられる光源を含み、該放射性元素は患者の前頭部に配置されるように適用される、請求項５に記載のバイオフィードバック診断システム。
【請求項７】
該放射性元素はコントロール領域が薄い平滑なチャンネルであるシリコン製電界効果トランジスターであり、該光源は５ＭＷ未満の電力を有するレーザーであり、該レーザーは約６３０〜６８０ｎｍの範囲の波長を有する光のパルスで放射性元素のコントロール領域を照射するように制御される、請求項６に記載のバイオフィードバック診断システム。
【請求項８】
該光のパルスは、患者の脳波のθリズムと同じ周波数を有する、請求項７に記載のバイオフィードバック診断システム。
【請求項９】
該直覚促進手段は、光のパルスのねじり成分を患者に到達させながら光のパルスの電磁成分を遮断するための空洞共振器をさらに含む、請求項８に記載のバイオフィードバック診断システム。
【請求項１０】
該空洞共振器は、サイズが約１．４５ＧＨｚの波長の倍数である容積測定チャンバーを有する、請求項９に記載のバイオフィードバック診断システム。
【発明の詳細な説明】
【技術分野】
【０００１】
発明の分野
本発明は、一般に、バイオフィードバック医療診断システムに関するものである。より詳しくは、本発明のシステムは、作業者、患者、及び患者の病態を決定するためのＣＰＴ（中央処理及び遠隔測定(central processing and telemetry)）装置間の遠隔非侵襲バイオフィードバックシグナルを用いるものである。本バイオフィードバックシグナルは、意識下で生じ、直覚を促進する装置(device enhanced intuition)を用いるものである。
【背景技術】
【０００２】
発明の背景
一般的な患者の病理−生理学的な状態を決定したり、様々な病気やその進行状態を診断するのに、様々な医療診断システムが当該分野において知られている。このようなシステムの簡単な例としては、Ｔｒｅｓｋｏｖによる米国特許第６，１２９，４３６号またはロシア特許第３３９，２８０号及び第１，０７６，０８７号に記載されるような臨界融合周波数を用いる視覚診断装置がある。自己管理診断では、患者は、融合のポイントに到達して、患者が光の個々のバーストの間を識別することができなくなるまで明滅する光の周波数を徐々に上げることができる。この融合の周波数は、患者の神経系の状態を示すものであり、経時的に追跡してその変化をモニターすることができる。ロシア特許第８１４，３３７号では、試験を身体の運動の前後に行なうという改善が記載されている。このようなシステムは、通常、視覚による刺激の処理を担う神経系の部分のみがこの試験にかかわるために、様々な患者の状態を示すことに限界がある。患者の作業能または疲労状態の変化等の複合的な現象は、しばしば、このような装置では検出されない神経系の他の変化により生じる。
【０００３】
動的ゲームをなうという状況は、様々な体の機能の状態を決定するために様々な精神−身体評価装置で使用される。例としては、注意、記憶及び視覚等の機能（ロシア特許第８２５，００１号）；知覚及び運動反応（ロシア特許第８５０，０４３号）；選択能（ロシア特許第９２９，０６０号）；動く物体に従う機能（ロシア特許第８２７，０２９号）；困難な状況から逃れる方法を見つける能力（ロシア特許第８７８，２５８号）および予測能（ロシア特許第８３９，４８８号）がある。
【０００４】
より総合的なバイオフィードバック装置が、米国特許第４，１９５，６２６号にＳｃｈｗｅｉｚｅｒによって記載され、これは特別に設計されたバイオフィードバックチャンバー内に様々な聴覚、視覚、電気または触覚刺激を与えることを包含するものである。さらに、これらの刺激のリズムパターンを制御するマイクロプロセッサーが報告され、これは患者自身の反応に基づいて調節がなされる。
【０００５】
米国特許第４，６９０，１４２号において、Ｒｏｓｓらは、電気−神経刺激を置く患者の皮膚の場所を詳細に記載している。皮膚にこのような触覚刺激を生じることを用いて、特定の状態に応答する生体の電気的な特徴を生じさせる。上記発明のシステムはまた、触覚を増すまたは阻害する際の集中により刺激に対する反応を変えるように生体を訓練するのにも使用される。
【０００６】
より精巧なシステムとしては、患者の頭皮につけられた多数の電極から測定される脳電図またはＥＥＧを介して患者の電気的な脳波を検出することがある。ＥＥＧを用いたバイオフィードバック装置のいくつかの例が、従来技術に記載される数多くのこのようなシステムの中で明細書に有用であると記載されている。
【０００７】
多チャンネルバイオフィードバックコンピューターが、Ｆｅｈｍｉらによって米国特許第４，０３１，８８３号に記載され、これは患者の頭皮及び体に貼られた多くの単極の電気的接触部およびこれからの電気シグナルを集め、フィルターにかけ、さらに増幅するためのコンピューターを含む。次に、全体的なフィードバックシグナルを患者に送り返して、他の目的でモニターされている機能に気付かせる。
【０００８】
Ｒｏｓｓらは、米国特許第４，８００，８９３号において、多くの電極により個々のシグナルがビデオディスプレイを備えたＥＥＧ装置に供給される運動感覚による身体の運動ディスプレイ(kinesthetic physical movement display)を記載する。運動感覚による身体の運動を生じることによって、使用者は所望の思考パターンを形成できる。
【０００９】
ＥＥＧフィードバックを用いて患者を治療する方法が、Ｏｃｈｓによって米国特許第５，３６５，９３９号に記載され、これは脳波の周波数を測定するための参照部位を選択し、所定の停止ポイントに到達するまで双方向で同調させるものである。次に、患者が脳波周波数を変化できるかについての柔軟性の評価を行なう。
【００１０】
患者の脳波検査日(brainwave date)からコンセプト及び概念思想を解釈するためのおよび脳波の機能障害の診断を補助するための方法および装置が、Ｈｕｄｓｐｅｔｈによって米国特許第５，３９２，７８８号に記載、報告される。患者に刺激を送るためのトランスデューサー、脳波シグナルを記録するためのＥＥＧトランスデューサー、ならびにシグナルの提示、ＥＥＧシグナルの記録及び分析を制御するコンピューターを含むシステムが記載される。記録されたＥＥＧシグナルならびに概念的な認識及び感情的な思想のモデルまたは脳の機能障害があるとの診断が知られている健常者からの既知のＥＥＧシグナル間で、比較がなされる。
【００１１】
意識の集中強度を測定する方法が、Ｃｏｗａｎらによって米国特許第５，９８３，１２９号で報告され、これは前頭葉の脳波ＥＥＧシグナルを得、これを別に得た参照ＥＥＧシグナルから引いて、注意表示シグナル(attention indicator signal)を得ることを含む。
【００１２】
最後に、コンピューターアニメーションをコンピューターによって維持し、ＥＥＧ応答シグナルを同時に得ながら患者に提示し、分析する、脳電図を用いるバイオフィードバックシステムが、Ｆｒｅｅｒによって米国特許第６，０９７，９８１号に記載される。次に、分析結果を用いて、アニメーションを制御する。ＥＥＧシグナルを遠隔赤外線送信機によって患者または使用者の頭から機械に送る設備が作られている。
【００１３】
上記システムすべてには多くの共通した限定が付されており、これは患者の心の意識状態への依存から生じる。他の限定としては、作業者等の独立した実体ではなく患者自身がバイオフィードバックシグナルを解釈するのに使用されることがある。最後に、ハードウェアを用いて、ＥＥＧシグナルを得、これをワイアまたは赤外線方法によりメインデータ収集及び計算装置まで送る。
【００１４】
バイオフィードバック分析の正確さのさらなる一つの改善方法がロシア特許第７５９，０９２号に記載されるが、この際、様々なバイオフィードバックシグナルに各患者または被検者の個々の特性に基づいて作用する専用選定装置によって相対的な重みの特定値を割り当てる。これらの重み因子を変えることによって、装置に個々の使用者に関する分析結果をカスタマイズさせる。
【００１５】
患者の特定の状態を遠隔でかつ非侵襲で評価するのにまたは疲労の状態や特定の機能を行なう能力に影響を及ぼすのに磁界及び電磁界を使用することもまた当該分野において知られている。
【００１６】
Ｆａｒｍｅｒらは、米国特許第５，４５８，１４２号において生体から発せられる磁界をモニターする装置を記載している。これは、多重巻細線(multi-turn fine wire)に囲まれた強磁性コアを含む磁界センサーを有する。このセンサーは、診断目的で生体の磁界を記録するのに、さらに生体の磁界を補足する治療のための磁界を生じるために磁界発生器を制御するのに使用される。
【００１７】
生体磁気分析システムが、米国特許第４，９５１，６７４号にＺａｎａｋｉｓらによって記載され、これは、脳などの体の様々な組織からの磁界に関する情報を得るための光ファイバー磁気センサーを数多く含むものである。
【００１８】
生体に影響を与える装置が、米国特許第５，１０８，３６１号にＨｅｉｎによって報告され、これは、大脳波を刺激するために周波数を上げながらまたは下げながら供給される多くの短パルス(short pulsed)シグナルを患者にあてるものである。
【００１９】
Ｋａｍｅｉによる米国特許第５，７６９，８７８号には、０．５〜１３Ｈｚの範囲の周波数で及び好ましくはＥＥＧシグナルから測定される際のα波バンドの周波数で（目を保護しながら）前頭にパルス光を供給することによって人の免疫監視能を非侵襲で促進する装置が示唆される。
【００２０】
最後に、我々のロシア特許第２，１４２，８２６号には、低周波数の単極磁界を用いることによるバイオ−ロケーション装置(bio-location device)の作業者の正確さ及び出力を非侵襲で上げる方法及び装置が記載される。
【００２１】
したがって、患者の意識下での影響及びバイオフィードバックシグナルの患者自身の解釈を排除した非侵襲性の診断システムに対する必要性が存在する。
【発明の開示】
【００２２】
発明の目的
したがって、中央処理及び遠隔測定装置ならびに患者からのバイオフィードバックシグナルを解釈する作業者を用いる新規な非侵襲診断システムを提供することによって従来技術のこれらの及び他の欠点を解消することが本発明の目的である。
【００２３】
患者及び作業者双方からのバイオフィードバックを処理することができる診断システムを提供することが本発明の他の目的である。
【００２４】
患者からのバイオフィードバックを非侵襲で集める診断システムを提供することが本発明のさらなる目的である。
【００２５】
装置が、患者の直覚を促進して、患者から装置へのバイオフィードバックシグナルの形成を容易にするために提供される診断システムを提供することが本発明のさらなる他の目的である。
【００２６】
本発明の診断システムは、作業者及び患者双方に一連の所定の刺激を与えることができる中央処理及び遠隔測定（ＣＰＴ）装置を有する。このような刺激は、評価の目的に従って様々なタイプから選択できる。これらは、視覚（モニターのスクリーン、一連の光ダイオードなど）、音（ヘッドホンまたはスピーカーを介した）、または磁気特性を有するものであってもよい。トリガーセンサー(triggering sensor)は、バイオフィードバックの形成及びアナログ−デジタル変換器を介した患者からＣＰＴ装置へのバイオフィードバックの伝達を容易にする。他のバイオフィードバックループは、作業者及び患者間で同時に形成される。したがって、評価に積極的に参加し、その結果を解釈するのは作業者である。さらに患者が直覚的にトリガーセンサーにフィードバックシグナルを送らせることができるようにするために、「カディスター(cadistor)」と呼ばれる装置により、直覚促進をうながす。この装置は、患者に、好ましくは患者の脳波のθリズムと同じである周波数で一連の小レベルのエネルギーバースト(energy burst)を与える。
【００２７】
図面の説明
下記詳細な説明を参照することによって、本発明の内容及びその様々な利点をより完全に理解でき、この際、添付の図面を参照するが、この図面は、以下のとおりである。
【００２８】
図１は、本発明の診断システムの一般的なブロック図である、および
図２は、診断システムのトリガーセンサーの一般的なブロック図である。
【００２９】
本発明を利用する好ましい様式の詳細な説明
添付の図面を参照しながら、本発明を詳細に説明するが、この際、同じ要素は同じ参照文字及び番号で示される。
【００３０】
図１は、本発明のシステムの主要なブロック図を示すものである。ＣＰＴ装置１０は、「情報コード」とも呼ばれる、一連の所定の刺激を出力するように設計される状況発生ブロック(situation-generating block)を含み、これを双方周辺装置(dual peripheral device)を介して作業者２０及び患者３０双方に送る（図１中の点線で示す）。多くの適当な周辺装置が、情報コードの性質によってシステムで使用できる。このような周辺装置の例としては、以下に制限されないが：例えば、被変調磁界伝送のための磁気誘導コイル、聴覚伝達のためのヘッドホンまたはスピーカー、評価される器官のイメージ等の視覚シグナル伝達のためのビデオモニターまたは光ディスプレイなどが挙げられる。本発明の診断システムの一つの独特な特徴である、このような情報コードが作業者２０及び患者３０双方に伝達されることを指摘することが重要である。
【００３１】
トリガーセンサー４０は、患者３０からの生物学的な応答をアナログシグナルとして集め（図１の実線）、これをデジタルのシグナルに変換し、以下に詳細に述べるようにＣＰＴ装置に戻す（図１の一点鎖線）。また、ＣＰＴ装置には、患者の個々の特性に応じてセンサー４０からの入力シグナルに対する特定の相対的な重み(specific relative weight)を割り当てるための選定ブロックも備えられる。
【００３２】
カディスター(cadistor)５０は、患者３０に直接作用して、トリガーセンサー４０の作業を容易にするように設計される。これは、レーザー等の光源によって照射されると、光電子放射性元素として作用するシリコン製半導体トランジスター結晶から構成される。好ましくは、コントロール領域が薄い平滑なチャンネルの形態を有するシリコン電界効果トランジスターが使用される。レーザー光がカディスターにあてられると、突然の一時的な短絡が半導体中に形成され、小レベルのエネルギーが放出される。高周波数で上記プロセスを繰り返すと、エネルギーの周期的な放出及び蓄積が起こった。レーザー光の好ましい波長は６３０〜６８０ｎｍであり、レーザー力は５ＭＷ未満であり、最も重要なことでは、光の波動は患者の脳波のθリズムと一致しなければならないことが確立された。
【００３３】
カディスターは、鼻及び目の約１／２インチ上の患者の前頭に置かれ、これらの間で対称である。レーザーによるダメージを防ぐために、適当に目を保護したり、他の用心をすることが薦められる。レーザー源は、患者の前頭から約５〜６インチのところに置き、上記したように患者の頭の上に置かれたカディスターに向ける。レーザー光によるカディスターの周期的な照射の活性化により、エネルギーの周期的な放出が起こるが、この状況では、患者の直覚ポテンシャルは明らかに増加することが示された。また、カディスターがトリガーセンサー４０の要素の一、即ちアンテナに対して適当な間隔があけられているように位置合わせすることが重要である。
【００３４】
上記したような状況では、レーザー光の電磁及びねじり成分双方が患者にあてられる。電磁成分を遮断するために、患者に与える唯一の刺激としてねじり成分を形成し、あてながら、電磁成分は届かないようにする空洞共振器を配置する（図１の点線）。空洞共振器は、一般的に、金属からなり、入力シグナルの、好ましくは約１．４５ＧＨｚの波長の倍数であるよう選択されたサイズを有する容積測定チャンバー(volumetric chamber)を有する。
【００３５】
図２は、トリガーセンサー４０の一般的なブロック図を示す。これは、センシング要素４１、インテグレーター４２、電流の源４３、差動増幅器４４、増幅器４５、コンパレーター４６、ガルバーニデカップリング装置(galvanic decoupling unit)４７、及びセンシング要素４１への患者の影響を増すように設計される検出器チャンネル４８から構成される。この際、検出器チャンネル４８は、対数周期アンテナ(logoperiodic antenna)４８ａ、ミキサー４８ｂ、レクチファイア４８ｃ、識別器４８ｄ、及びヘテロダイン４８ｅから構成される。
【００３６】
トリガーセンサー４０の機能は、ＣＰＴ装置によって供給される情報コードに反応して患者によって生じる応答を感知し、これらをデジタルシグナルに変換して、ＣＰＴ装置１０に戻すことである。センシング要素４１は、患者の脳波の影響を遠隔で与える、例えば、放射性元素２Ｇ４０１Ｖによるノイズ発生器である。電源４９によって数マイクロアンペア、好ましくは１〜５の範囲の最適化された値の直流を流して、この要素に電力を送る。この電流は、調節可能であり、in vitroでの装置の微同調中個々に測定される。
【００３７】
電流源４３は、例えば、タイプＵＤ２５Ａ（ロシア、Kaluga所在のVoshod company製）等の演算増幅器及びノイズ係数の低い双極トランジスター、例えば、電力源電圧の変動が生じない一定レベルの電流を供給できるモデルＫＴ３１０７Ｌ（ロシア、Alexandrov所在のEleks company製）などの調節要素から構成される。このような低レベルの電流の選択は、外部の妨害(disturbance)に対する装置の感度を上げることが望ましいため必要である。
【００３８】
情報シグナルは、センシング要素４１から得られ、差動増幅器４４及び増幅器４５から構成される増幅段階により採られる。その結果、シグナルは約３０ｄＢの全増幅率で増幅される。センシング要素４１は、有用な障害及び静電磁界からの障害等の任意な障害双方の影響を受ける。このような任意の障害を排除するために、精密な差動増幅器４４を、増幅の第一段階として使用する。このような増幅器の一つの可能なタイプとしては、インテグレーター４２を介して供給した後他の入力を同じ電圧で供給しながら、センシング要素４１からのシグナル電圧を増幅器４４の一の入力に供給するＢＵＲ  ＢＲＡＵＮ製のＩＮＡ  １２８ＵＢがある。その結果、有用な障害シグナルのみが増幅器４５での増幅の次の段階にいき、ノイズシグナルは除くことができる。適当な一般的に知られている増幅器が、増幅器４５として使用できる。
【００３９】
コンパレーター４６は、タイプ５２１ＳＡ３（ロシア、Zelenograd所在のNIIME company製）であってもよく、例えば、Ａ−Ｄ変換器等で一連のインパルスに増幅器４５からのアナログシグナルを伝達するように設計され、さらにこれをさらに変換するためにガルバーニデカップリング装置(galvanic decoupling unit)４７に伝達する。
【００４０】
ガルバーニデカップリング装置４７の必要性は、装置自体の電源ラインからのおよび他の付近に位置する電気装置からのランダムに変動する電磁ノイズ場の存在によってある。この装置は、直流から交流部分を分離するように設計され、例えば、ロシア、モスクワ所在のDiode company製の光ダイオードＰｈＤ２６５Ａ及びエミッターＡＬ１０７Ｂなどの光チャンネルを含む。
【００４１】
検出器チャンネル４８は、センシング要素４１への患者の影響を増すように設計される。受信は、人の器官及び組織による電波の伝達の範囲にあることが知られる、短波長範囲、好ましくは１．４５ＧＨｚの周波数で行われる。受信要素は、広い伝達周波数の範囲内ではあるが受信の狭い方向性が確保できる複同調テーパー螺旋形(multi-turn spiral tapered)の設計を有する対数周期アンテナ４８ａにより作製される。テーパーは、狭い部分が目の約１／２インチ上の患者の前頭の真ん中に直接向くようレーザーポインタで配向する。
【００４２】
ミキサー４８ｂは、アンテナ４８ａ上に好ましくは直接載置され、電圧がヘテロダイン４８ｅから供給される一連のダイオード（ロシア、Tomsk所在のNIIPP company製のタイプＡＡ１２３など）を有する。このようなヘテロダインは、一般的に正弦電圧発生器であり、電波の受信器に広く使用される。アンテナが連結される、受信器の振動性回路の同調と同時にチューニングできる。これにより、電波受信器のセッティングの任意の位置において受信シグナル及びヘテロダインシグナルの間である周波数での相違の定常値を記録することができる。適当なヘテロダインの例としては、ロシア、Nalchik所在のNalchk's PP factoryによって製造されるタイプＫＡ７１７Ｂ−４のダイオードを使用するものがある。
【００４３】
レクチファイア４８ｃは、有用なシグナルから低周波数相を分離するように設計され、これはさらに例えば、差動増幅器ＩＮＡ１２８ＵＢ等の識別器４８ｄに供給される。識別器４８ｄは、もとのシグナルから集積されたシグナルを引き、情報電圧バースト(information voltage burst)に到達する。次に、このような電圧バーストは、インテグレーター４２におよびさらに電流源４３に戻されて、電流の値レベルを変えて、センシング要素４１の電源電流をシフトさせる。センシング要素４１の電流のこのような変動は、最終的に、その操作の周波数スペクトル及びこれにより生じる有用なシグナルの周波数範囲にもたらされる。
【００４４】
本発明の診断システムは、以下のように機能する。試験配列の初めには、ＣＰＴ装置１０が、評価の性質によって、電磁、電波(radio)、聴覚、または光シグナルとして情報コードを発生する。このようなシグナルまたは刺激は、作業者２０の神経系のレセプターに影響を与えて、非常に感度が高くかつ反応性のある状態にシフトさせ、ゆえに作業者２０及び患者３０間の生物学的なフィードバックの強度を増加する。カディスター５０の作用は、トリガーセンサー４０のセンシング要素４１に有用な障害シグナルとしてその影響を生じるのに患者３０を補助し、これによりＣＰＴ装置１０、患者３０、及びトリガーセンサー４１間の第二のバイオフィードバックループが完了する。
【００４５】
操作の例
【００４６】
【表１】
2005505332.tif 000003
【００４７】
表１は、本発明の診断システムのＣＰＴ装置１０によって生じる様々な刺激の一例を示すものである。作業者及び患者が刺激を受けて、バイオフィードバックの双方のループが形成されるように、各刺激配列が開始する時間の瞬間はすべて、お互いにかつトリガーセンサー及びカディスターの開始から対等である。
【００４８】
その結果、ＣＰＴ装置は、患者及び作業者の応答を蓄積して、これによりデーターベースがそれぞれの一連の個々の刺激に対するこのような応答から形成される。電磁インパルスの場合には、患者の脳の左部分のみに、これ及び磁気インパルスのNorth部分のみがあたる。
【００４９】
本発明者らによって行われた研究から、トリガーセンサーへの患者からの効果は、電磁インパルスの割り込みの周波数が患者の脳波のθリズムの周波数に近くなると、より再現性が高くなることが示される。この周波数は、患者の健康状態によって増加または減少に向けて変動する傾向がある。事実、その周波数での逸脱ならびに特定の体系、所定の器官、及び別々の細胞及び染色体断片の特定の病態の関係が決定される。このような関係によって、様々な病態の特定の診断が可能になる。例としては、脊髄板(spinal disk)の突出、様々な癌性腫瘍の遠隔転移、折れた骨及び一般的な外傷、血管の血栓症、急性及び慢性の肝炎、肝硬変、ならびに非常に多様な他の病態の診断が挙げられる。このような診断が意識下レベルの脳の機能を用いて行なうことが可能であり、ゆえに患者の影響を受けないことを強調することが重要である。
【００５０】
本装置を使用する他の可能性としては、正常なボランティアから予め集められた入手可能な署名のライブラリーを用いてトリガーセンサーによって得られるなどの器官のデジタル署名を集めることがある。このような比較によって、病気の度合いや器官の病気の発達の状態を決定することができる。
【００５１】
病態のさらなる特徴付けは、本発明者らによって開発された下記分類方法を用いて可能である。
【００５２】
クラス０−評価された器官のデジタル署名の記録された正常な署名との理想的な相関。例−分裂プロセスの開始時のヒトの卵細胞；
クラス１−誕生前の健常な胚の組織（体の機能または毒が存在しない）；
クラス２−母親から出た生命の初期段階での健常な新生児の組織、初期段階で機能する組織；
クラス３−毒が存在しない能動的に機能する組織；
クラス４−機能が欠損し、毒の蓄積がちょうど開始した組織；
クラス５−毒が組織の細胞内に蓄積し、その機能を積極的に制限するように器官が変化した組織；および
クラス６−器官が損傷し、全体的な組織のバランスがとれない(overall tissue misbalance)極端でかつ不可逆的な状態。
【００５３】
本発明を特定の実施態様を参照しながら説明してきたが、この実施態様は本発明の原則や用途を単に詳細に説明するものであると解される。したがって、多くの修飾が詳細な実施態様に対してなされ、添付の請求項に規定されるような本発明の精神及び範囲から逸脱しない限り他のアレンジが案出されると解される。
【図面の簡単な説明】
【００５４】
【図１】本発明の診断システムの一般的なブロック図である。
【図２】診断システムのトリガーセンサーの一般的なブロック図である。
【図１】
2005505332.tif 000004
【図２】
2005505332.tif 000005
【国際公開パンフレット】
2005505332.tif 000006
2005505332.tif 000007
2005505332.tif 000008
2005505332.tif 000009
2005505332.tif 000010
2005505332.tif 000011
2005505332.tif 000012
2005505332.tif 000013
2005505332.tif 000014
2005505332.tif 000015
2005505332.tif 000016
2005505332.tif 000017
2005505332.tif 000018
2005505332.tif 000019
2005505332.tif 000020
2005505332.tif 000021
2005505332.tif 000022
2005505332.tif 000023
【国際調査報告】
2005505332.tif 000024